【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
圧力室に通じるノズル開口を列設してなる複数のノズル列、及び、前記圧力室内の液体に圧力変動を生じさせる圧力発生素子を有し、該圧力発生素子の作動によってノズル開口から液滴を吐出して吐出対象物にドットを形成する液体噴射ヘッドと、
該液体噴射ヘッドによる液滴の吐出を制御する制御手段と、
各ノズル列で固有の吐出液滴量についての設計液滴量に対する偏差情報を記憶する偏差情報記憶手段と、
吐出液滴量と色彩情報との相関関係を示す色彩相関情報を記憶する色彩相関情報記憶手段とを備え、
前記制御手段は、
前記設計液滴量と前記偏差情報記憶手段に記憶された偏差情報とに基づいて各ノズル列の吐出液滴量を算出し、
算出した吐出液滴量と前記色彩相関情報記憶手段に記憶された色彩相関情報とに基づいて各ノズル列の吐出液滴量に対応した色彩情報を算出し、
算出した色彩情報についての基準色彩情報に対する色彩偏差情報を算出し、
算出した色彩偏差情報に基づき、前記吐出対象物におけるドット形成率をノズル列毎に調整することを特徴とする液体噴射装置。
【請求項２】
前記偏差情報記憶手段は、第１設計液滴量に対応する吐出液滴量の計測値についての、前記第１設計液滴量に対する第１偏差情報をノズル列毎に記憶し、
前記第１偏差情報と、前記第１設計液滴量とは異なる第２設計液滴量に関する第２偏差情報との相関関係を示す偏差相関情報を記憶する偏差相関情報記憶手段を備え、
前記制御手段は、前記偏差相関情報記憶手段に記憶された偏差相関情報と、前記偏差情報記憶手段に記憶された第１偏差情報に基づいて、前記第２偏差情報をノズル列毎に算出することを特徴とする請求項１に記載の液体噴射装置。
【請求項３】
液体を貯留する液体貯留部材と、
圧力室に通じるノズル開口を列設してなる複数のノズル列、及び、前記圧力室内の液体に圧力変動を生じさせる圧力発生素子を有し、前記液体貯留部材の液体を前記圧力室に導入し、前記圧力発生素子の作動によって前記ノズル開口から液滴として吐出して吐出対象物にドットを形成する液体噴射ヘッドと、
液滴の吐出回数及びその液滴量に基づいて前記液体貯留部材内の液体の消費量を算出する液体消費量算出手段と、
各ノズル列で固有の吐出液滴量についての設計液滴量に対する偏差情報を記憶する偏差情報記憶手段と、
吐出液滴量と色彩情報との相関関係を示す色彩相関情報を記憶する色彩相関情報記憶手段とを備え、
前記液体消費量算出手段は、
前記設計液滴量と前記偏差情報記憶手段に記憶された偏差情報とに基づいて各ノズル列の吐出液滴量を算出し、
算出した吐出液滴量と前記色彩相関情報記憶手段に記憶された色彩相関情報とに基づいて、各ノズル列の吐出液滴量に対応した色彩情報を算出し、
算出した色彩情報についての基準色彩情報に対する色彩偏差情報を算出し、
算出した色彩偏差情報に基づき、前記消費量の算出時における前記液滴量を補正することを特徴とする液体噴射装置。
【請求項４】
前記偏差情報記憶手段は、第１設計液滴量に対応する吐出液滴量の計測値についての、前記第１設計液滴量に対する第１偏差情報をノズル列毎に記憶し、
前記第１偏差情報と、前記第１設計液滴量とは異なる第２設計液滴量に関する第２偏差情報との相関関係を示す偏差相関情報を記憶する偏差相関情報記憶手段を備え、
前記液体消費量算出手段は、前記偏差相関情報記憶手段に記憶された偏差相関情報と、前記偏差情報記憶手段に記憶された第１偏差情報に基づいて、前記第２偏差情報をノズル列毎に算出することを特徴とする請求項３に記載の液体噴射装置。
【請求項５】
圧力室に通じるノズル開口を列設してなる複数のノズル列、及び、前記圧力室内に液体に圧力変動を生じさせる圧力発生素子を有し、該圧力発生素子の作動によってノズル開口から液滴を突出して突出対象物にドットを形成する液体噴射ヘッドと、
該液体噴射ヘッドによる液滴の吐出を制御する制御手段と、
各ノズル列で固有の吐出液滴量についての設計液滴量に対する偏差情報を記憶する偏差情報記憶手段と、を備え、
前記偏差情報記憶手段は、第１設計液滴量に対応する吐出液滴量の計測値についての、前記第１設計液滴量に対する第１偏差情報をノズル列毎に記憶し、
前記第１偏差情報と、前記第１設計液滴量とは異なる第２設計液滴量に関する第２偏差情報との相関関係を示す偏差相関情報を記憶する偏差相関情報記憶手段を備え、
前記制御手段は、前記偏差相関情報記憶手段に記憶された偏差相関情報と、前記偏差情報記憶手段に記憶された第１偏差情報に基づいて、前記第２偏差情報をノズル列毎に算出することを特徴とする液体噴射装置。
【請求項６】
圧力室に通じるノズル開口を列設してなる複数のノズル列、及び、前記圧力室内の液体に圧力変動を生じさせる圧力発生素子を有し、該圧力発生素子の作動によってノズル開口から液滴を吐出可能な液体噴射ヘッドであって、
各ノズル列で固有の吐出液滴量についての設計液滴量に対する偏差情報を記憶する偏差情報記憶手段と、
吐出液滴量と色彩情報との相関関係を示す色彩相関情報を記憶する色彩相関情報記憶手段とを備えることを特徴とする液体噴射ヘッド。
【請求項７】
前記偏差情報記憶手段は、第１設計液滴量に対応する吐出液滴量の計測値についての、前記第１設計液滴量に対する第１偏差情報をノズル列毎に記憶し、
前記第１偏差情報と、前記第１設計液滴量とは異なる第２設計液滴量に関する第２偏差情報との相関関係を示す偏差相関情報を記憶する偏差相関情報記憶手段を備えたことを特徴とする請求項６に記載の液体噴射ヘッド。
【手続補正２】
【補正対象書類名】明細書
【補正対象項目名】００１７
【補正方法】変更
【補正の内容】
【００１７】
上記構成において、前記偏差情報記憶手段が、第１設計液滴量に対応する吐出液滴量の計測値についての、前記第１設計液滴量に対する第１偏差情報をノズル列毎に記憶し、
前記第１偏差情報と、前記第１設計液滴量とは異なる第２設計液滴量に関する第２偏差情報との相関関係を示す偏差相関情報を記憶する偏差相関情報記憶手段を備え、
前記液体消費量算出手段が、前記偏差相関情報記憶手段に記憶された偏差相関情報と、前記偏差情報記憶手段に記憶された第１偏差情報に基づいて、前記第２偏差情報をノズル列毎に算出することが望ましい。
また、圧力室に通じるノズル開口を列設してなる複数のノズル列、及び、前記圧力室内に液体に圧力変動を生じさせる圧力発生素子を有し、該圧力発生素子の作動によってノズル開口から液滴を突出して突出対象物にドットを形成する液体噴射ヘッドと、該液体噴射ヘッドによる液滴の吐出を制御する制御手段と、各ノズル列で固有の吐出液滴量についての設計液滴量に対する偏差情報を記憶する偏差情報記憶手段と、を備え、前記偏差情報記憶手段は、第１設計液滴量に対応する吐出液滴量の計測値についての、前記第１設計液滴量に対する第１偏差情報をノズル列毎に記憶し、前記第１偏差情報と、前記第１設計液滴量とは異なる第２設計液滴量に関する第２偏差情報との相関関係を示す偏差相関情報を記憶する偏差相関情報記憶手段を備え、前記制御手段は、前記偏差相関情報記憶手段に記憶された偏差相関情報と、前記偏差情報記憶手段に記憶された第１偏差情報に基づいて、前記第２偏差情報をノズル列毎に算出する構成とすることもできる。
【手続補正３】
【補正対象書類名】明細書
【補正対象項目名】００２６
【補正方法】変更
【補正の内容】
【００２６】
上記ノズルプレート２０は、ドット形成密度に対応したピッチ（例えば１８０ｄｐｉ）で複数のノズル開口２６を列状に開設した金属製の薄いプレートである。本実施形態では、このノズルプレート２０をステンレス鋼製の板材によって構成し、ノズル開口２６の列（ノズル列）を複数設けている。そして、１つのノズル列は、例えば１８０個のノズル開口２６によって構成される。そして、本実施形態における記録ヘッド２は、夫々異なる色のインク（本発明における液体の一種）、具体的には、シアン（Ｃ）、マゼンタ（Ｍ）、イエロー（Ｙ）、ブラック（Ｋ）の合計４色のインクを貯留する４つのインクカートリッジ３を装着可能に構成されており、これらの色に対応させて合計４列のノズル列がノズルプレート２０に形成されている。そして、本実施形態では、これらのノズル列毎に上記の振動子ユニット１３を設けている。即ち、この記録ヘッド２は、各ノズル列に対応して合計４つの振動子ユニット１３を備えている。
【手続補正４】
【補正対象書類名】明細書
【補正対象項目名】００４１
【補正方法】変更
【補正の内容】
【００４１】
本実施形態においては、例えば、測定対象のノズル列に属する全てのノズル開口２６から所定回数だけインク滴を吐出させ、この吐出インクを電子天秤によって捕集してその重量を計測する。そして、この計測結果を吐出回数及びノズル開口２６の数で除することにより、当該ノズル列の吐出液滴量についての計測値が求められる。そして、この吐出液滴量の計測値についての設計液滴量に対する偏差が算出される。例えば、あるノズル列について、高解像度モードにおける小ドットに対応する吐出液滴量（計測値）が１．３５ｎｇであった場合、この吐出液滴量の設計液滴量１．５ｎｇに対する偏差Ｄｖは、設計液滴量を１００％とすると、以下のようにして算出される。
Ｄｖ＝１００−（１．３５／１．５０）×１００＝１０％
そして、このようにして、各ノズル列（各インク色）で固有の吐出液滴量についての設計液滴量に対する偏差Ｄｖが求められ、この偏差Ｄｖが偏差情報としてノズル列毎に不揮発性記憶素子４７に記憶される。上記の例の場合、吐出液滴量が設計液滴量よりも１０％少ないので、「−１０％」が、該当ノズル列の高解像度モードにおける小ドットに対応する偏差情報（偏差Ｄｖ）として不揮発性記憶素子４７に記憶される。